(57)【要約】【課題】視覚障害者が健常者と同様にキーホルダーを使用することが可能な点字付きキーホルダーを提供する。【解決手段】凹凸加工が可能な材質でプレート本体１０を形成する。プレート本体１０に装着する留具２０を設ける。プレート本体１０の片面又は両面の一部に印刷可能な印刷表示欄１を形成する。プレート本体１０の印刷表示欄以外の面に点字により情報を表示する点字表示欄２を設ける。印刷表示欄１と点字表示欄２とを併設する。印刷表示欄１と点字表示欄２とに同じ内容の情報を表示する。【選択図】  図１
0003200704.tif 000002
【実用新案登録請求の範囲】
【請求項１】
表面に凹凸加工が可能な材質でプレート本体が形成され、該プレート本体に留具が装着され、プレート本体の片面又は両面の一部に印刷により情報を表示した印刷表示欄が形成されたキーホルダーにおいて、プレート本体の印刷表示欄以外の面に点字により情報を表示した点字表示欄を設けたことを特徴とする点字付きキーホルダー。
【請求項２】
前記プレート本体の片面又は両面に、前記印刷表示欄と前記点字表示欄とを併設すると共に、各欄に同じ内容の情報を表示するように構成した請求項１記載の点字付きキーホルダー。
【請求項３】
前記点字表示欄は前記プレート本体形成時に設けられ、前記印刷表示欄は前記プレート本体形成後に印刷するように構成した請求項１又は２記載の点字付きキーホルダー。
【考案の詳細な説明】
【技術分野】
【０００１】
本考案は、視覚障害者の記憶に残る点字付きキーホルダーに係り、健常者と同じように記念品やお土産等として使用することができる点字付きキーホルダーに関する。
【背景技術】
【０００２】
キーホルダーは、一般に記念品やお土産、あるいは企業の販売促進用商品などとして使用されることが多い。この場合、キーホルダーの表面に、記念する事柄の内容や、お土産の産地名、あるいは企業の宣伝内容等が表示されている。
【０００３】
一方、キーホルダーに表示する文字等を発光ダイオード等の発光体で形成し、キーホルダーの文字が発光するように構成した字光式キーホルダーが特許文献１に記載されている。
【先行技術文献】
【特許文献】
【０００４】
【特許文献１】実用新案登録第３０２２０９０号公報
【考案の概要】
【考案が解決しようとする課題】
【０００５】
ところが、従来のキーホルダーは、記念する事柄の内容やお土産の産地等が印刷にて表示されているので、キーホルダーに表示されたこれらの内容について健常者は認識できるが、視覚障害者はキーホルダーに表示された内容については認識することが困難であった。
【０００６】
すなわち、駅構内の案内プレートや室内照明の点灯スイッチなど、実用的な情報を示す場面において、表示手段として点字が多く使用されている。ところが、キーホルダーのように記念品やお土産等の思い出を表示する場面で使用されることはなかった。この結果、キーホルダーを介して思い出や記念日等を認識するといった健常者と同様の使用は困難になっていた。
【０００７】
一方、特許文献１に記載されているキーホルダーにおいても、表示された文字等が発光することで健常者へのアピールは可能になるとしても、視覚障害者に情報を知らせることはできず、健常者と同様の使用は困難である。
【０００８】
そこで、本考案は上述の課題を解消すべく案出されたもので、キーホルダーを記念品やお土産等として使用した場合に、視覚障害者がキーホルダーに表示された情報を認識することができ、健常者と同様にキーホルダーを介して思い出や記念日等を思い出すことが可能な点字付きキーホルダーの提供を目的とするものである。
【課題を解決するための手段】
【０００９】
上述の目的を達成すべく本考案における第１の手段は、表面に凹凸加工が可能な材質でプレート本体１０が形成され、該プレート本体１０に留具２０が装着され、プレート本体１０の片面又は両面の一部に印刷により情報を表示した印刷表示欄１が形成されたキーホルダーにおいて、プレート本体１０の印刷表示欄１以外の面に点字により情報を表示した点字表示欄２を設けたことにある。
【００１０】
第２の手段は、前記プレート本体１０の片面又は両面に、前記印刷表示欄１と前記点字表示欄２とを併設すると共に、各欄に同じ内容の情報を表示するように構成したものである。
【００１１】
第３の手段において、前記点字表示欄２は前記プレート本体１０形成時に設けられ、前記印刷表示欄１は前記プレート本体１０形成後に印刷するように構成したものである。
【考案の効果】
【００１２】
請求項１のごとく、表面に凹凸加工が可能な材質でプレート本体１０が形成され、該プレート本体１０に留具２０が装着され、プレート本体１０の片面又は両面の一部に印刷により情報を表示した印刷表示欄１が形成されたキーホルダーにおいて、プレート本体１０の印刷表示欄１以外の面に点字により情報を表示した点字表示欄２を設けたことにより、視覚障害者は、点字表示欄２の情報により、記念品やお土産等として認識することができる。この結果、健常者と同様に、視覚障害者がキーホルダーを介して思い出や記念日等を思い出すことが可能になった。
【００１３】
請求項２のように、プレート本体１０の片面又は両面に、印刷表示欄１と点字表示欄２とを併設すると共に、各欄に同じ内容の情報を表示するように構成したことで、一つのキーホルダーを介して健常者と視覚障害者が同じような思い出や記念日等を思い出すことができるので共通の使用が可能になる。
【００１４】
請求項３のごとく、前記点字表示欄２は前記プレート本体１０形成時に設けられ、前記印刷表示欄１は前記プレート本体１０形成後に印刷するように構成したことで、点字表示欄２を形成する際に合理的な成形が可能になる。
【００１５】
このように本考案によると、キーホルダーを記念品やお土産等として使用した場合に、視覚障害者がキーホルダーに表示された情報を認識することができ、健常者と同様にキーホルダーを介して思い出や記念日等を思い出すことが可能になるなどといった当初の目的を達成することができる。
【図面の簡単な説明】
【００１６】
【図１】本考案の一実施例を示す正面図である。
【図２】本考案のプレート本体を示す側断面図である。
【図３】本考案の点字表示欄を示す要部拡大断面図である。
【図４】本考案の他の実施例を示す正面図である。
【考案を実施するための形態】
【００１７】
以下、本考案の実施例を説明する。本考案の基本構成はプレート本体１０と留具２０とで構成されている（図１参照）。
【００１８】
プレート本体１０は、凹凸加工が可能な材質で形成され、片面又は両面の一部に印刷可能な印刷表示欄１と、点字を表示する点字表示欄２とを形成する。プレート本体１０の材質として、例えば金属材、合成樹脂材等が使用される。
【００１９】
留具２０は、プレート本体１０に装着される部材で、この留具２０を介して任意の位置にプレート本体１０を連結する。留具２０の材質も金属材や合成樹脂材が使用されるほか、皮革材の使用なども可能である。
【００２０】
プレート本体１０には、印刷等で情報を表示する印刷表示欄１と、この印刷表示欄１以外の面に、点字により情報を表示する点字表示欄２とを設けている（図１参照）。
【００２１】
印刷表示欄１は、健常者が識別可能な文字、図形等が記載される欄で、プレート本体１０の材質に応じた印刷にて形成される。
【００２２】
一方、点字表示欄２は、視覚障害者が識別可能な点字が形成されている（図１参照）。この点字表示欄２は、プレート本体１０の成形と同時に設けられている（図３参照）。また、前記支持体１は、プレート本体１０を成形した後に、印刷されるものである。
【００２３】
これら印刷表示欄１と点字表示欄２とを、プレート本体１０の同一面に併設し、各欄に同一情報を表示するように構成している（図１参照）。このような構成により、健常者と視覚障害者とが同じ思い出を共有することが可能になる。
【００２４】
図示例では、印刷表示欄１や点字表示欄２をプレート本体１０の片面に形成している（図２参照）。また、これら印刷表示欄１や点字表示欄２をプレート本体１０の両面に形成することも可能である。
【００２５】
これらの印刷表示欄１や点字表示欄２が表示する内容は、キーホルダーの用途に応じて変更される。例えば、オリンピック等の記念品として使用する場合、大会名や開催年、公式エンブレム等が記載される。このとき、図形等の場合、印刷表示欄１には印刷にて、点字表示欄２には立体的な図形を表示することが可能である。
【００２６】
一方、キーホルダーを企業等の販売促進用商品として使用する場合は、印刷表示欄１や点字表示欄２に、会社名、キャッチフレーズ、住所や電話番号等の様々な情報が記載される（図４参照）。
【００２７】
尚、本考案において図示例に限定されるものではなく、プレート本体１０や留具２０の形状、材質、サイズの変更等は、本考案の要旨を変更しない範囲で自由に行える。また本考案の使用例も限定されるものではない。
【符号の説明】
【００２８】
１  印刷表示欄
２  点字表示欄
１０  プレート本体
２０  留具
【図１】
0003200704.tif 000003
【図２】
0003200704.tif 000004
【図３】
0003200704.tif 000005
【図４】
0003200704.tif 000006